(57)【特許請求の範囲】
【請求項１】
無線通信における基地局の設計情報及び前記基地局の周辺情報を含む前記基地局の管理情報に基づいて、前記基地局の外観の利用に関する利用情報を生成する利用情報生成部と、
生成された前記利用情報を、利用者の端末に送信する利用情報送信部と、
前記利用者の端末から前記基地局の外観の利用の注文情報を受信すると、前記基地局の外観の利用内容の問い合わせを前記利用者の端末に送信し、前記利用内容を前記利用者の端末から受信する利用内容受信部と、
受信された利用内容に基づいて、前記基地局の利用情報を更新する利用情報更新部と、
更新された利用情報に基づいて、前記基地局の設計情報を更新する設計情報更新部と、
を備え、
前記利用情報送信部は、
更新された前記設計情報に基づいて、前記利用情報をさらに更新して前記利用者の端末に送信する、
基地局利用システム。
【請求項２】
前記基地局の外観の利用価格を設定する価格設定部と、
前記基地局の外観の利用に関する入札を受け付ける入札受付部と、
入札した利用者の中から落札者を決定する落札者決定部と、
をさらに備え、
前記利用情報生成部は、
前記利用情報に、希望価格を含め、
前記利用内容受信部は、
前記落札者決定部によって決定された落札者に対応する前記利用者の端末に前記利用内容の問い合わせを送信する、
ことを特徴とする請求項１に記載の基地局利用システム。
【請求項３】
コンピュータが、無線通信における基地局の設計情報及び前記基地局の周辺情報を含む前記基地局の管理情報に基づいて、前記基地局の外観の利用に関する利用情報を生成する利用情報生成工程と、
コンピュータが、生成された前記利用情報を、利用者の端末に送信する利用情報送信工程と、
コンピュータが、前記利用者の端末から前記基地局の外観の利用の注文情報を受信すると、前記基地局の外観の利用内容の問い合わせを前記利用者の端末に送信し、前記利用内容を前記利用者の端末から受信する利用内容受信工程と、
コンピュータが、受信された利用内容に基づいて、前記基地局の利用情報を更新する利用情報更新工程と、
コンピュータが、更新された利用情報に基づいて、前記基地局の設計情報を更新する設計情報更新工程と、
コンピュータが、更新された前記設計情報に基づいて、前記利用情報をさらに更新して前記利用者の端末に送信する更新情報送信工程と、
を含む基地局利用方法。
【請求項４】
無線通信における基地局の設計情報及び前記基地局の周辺情報を含む前記基地局の管理情報を管理する管理サーバであって、
前記基地局の外観の利用を発注した利用者によって登録された利用内容に応じて更新され他のサーバから送信された前記基地局の外観の利用に関する利用情報を受信する受信部と、
受信された利用情報に基づいて、前記基地局の設計情報を更新する情報更新部と、
更新された前記設計情報を、前記利用情報の前記他のサーバに送信する送信部と、
を備える管理サーバ。
【請求項５】
無線通信における基地局の設計情報及び前記基地局の周辺情報を含み、他のサーバによって管理される前記基地局の管理情報に基づいて、前記基地局の外観の利用に関する利用情報を生成する利用情報生成部と、
生成された前記利用情報を、利用者の端末に送信する利用情報送信部と、
前記利用者の端末から前記基地局の外観の利用の注文情報を受信すると、前記基地局の外観の利用内容の問い合わせを前記利用者の端末に送信し、前記利用内容を前記利用者の端末から受信する利用内容受信部と、
受信された利用内容に基づいて、前記基地局の利用情報を更新する利用情報更新部と、
更新された利用情報を、前記基地局の管理情報の前記他のサーバに送信する送信部と、
受信された利用情報に基づいて更新された前記基地局の設計情報を前記他のサーバから受信する受信部と、
を備え、
前記利用情報送信部は、
更新された前記設計情報に基づいて、前記利用情報をさらに更新して前記利用者の端末に送信する管理サーバ。
【請求項６】
無線通信における基地局の設計情報及び前記基地局の周辺情報を含む前記基地局の管理情報を管理するコンピュータに実行させるプログラムであって、
前記基地局の外観の利用を発注した利用者によって登録された利用内容に応じて更新され他のサーバから送信された前記基地局の外観の利用に関する利用情報を受信する受信手順と、
受信された利用情報に基づいて、前記基地局の設計情報を更新する情報更新手順と、
更新された前記設計情報を、前記利用情報の前記他のサーバに送信する送信手順と、
をコンピュータに実行させるプログラム。
【請求項７】
無線通信における基地局の設計情報及び前記基地局の周辺情報を含み、他のサーバによって管理される前記基地局の管理情報に基づいて、前記基地局の外観の利用に関する利用情報を生成する利用情報生成手順と、
生成された前記利用情報を、利用者の端末に送信する利用情報送信手順と、
前記利用者の端末から前記基地局の外観の利用の注文情報を受信すると、前記基地局の外観の利用内容の問い合わせを前記利用者の端末に送信し、前記利用内容を前記利用者の端末から受信する利用内容受信手順と、
受信された利用内容に基づいて、前記基地局の利用情報を更新する利用情報更新手順と、
更新された利用情報を、前記基地局の管理情報の前記他のサーバに送信する送信手順と、
受信された利用情報に基づいて更新された前記基地局の設計情報を前記他のサーバから受信する受信手順と、
更新された前記設計情報に基づいて、前記利用情報をさらに更新して前記利用者の端末に送信する更新情報送信手順と、
をコンピュータに実行させるプログラム。
【発明の詳細な説明】
【技術分野】
【０００１】
本発明は、無線通信の基地局の外観を利用する基地局利用システム等に関する。
【背景技術】
【０００２】
携帯電話等の移動体通信技術の発達に伴って、広範囲な移動体通信ネットワークを構築すべく、多数の基地局の設置が進められている（例えば、特許文献１参照）。周辺のエリアを効率良くカバーするため、基地局のアンテナは、高過ぎず、かつ、見通しの良い場所に設置される。
【０００３】
高すぎず、かつ、見通しの良い場所は、いわば人目に付き易い場所であるとも言える。したがって、景観を損ねかねないなどの理由から、場所によっては基地局の設置が制限される場合もあり得る。
【先行技術文献】
【特許文献】
【０００４】
【特許文献１】特開２００６−０９３７７８号公報
【発明の概要】
【発明が解決しようとする課題】
【０００５】
基地局の設置場所が制限されると、基地局の効率的な配置が困難となり、移動体通信ネットワークの構築が妨げられる。このため、基地局のアンテナをカバーで覆い、外から見るとあたかもそこにアンテナが存在しないようにカモフラージュすることも行われている。
【０００６】
基地局のアンテナをカバーで覆うと、基地局の工事費用に、カバーを作成するための費用がさらに追加される。その費用は、基地局の工事依頼主、工事担当者等の負担となる。この場合、基地局としての機能とは本体的に無関係な費用を、誰が負担するのかが、争点になってしまうこともある。
【０００７】
以上のことから、周囲の環境に適合する基地局の登場が望まれている。
【０００８】
本発明は、上記実状に鑑みてなされたものであり、基地局の設置の自由度を高めることができる基地局利用システム等を提供することを目的とする。
【課題を解決するための手段】
【０００９】
本発明の第１の観点に係る基地局利用システムは、
無線通信における基地局の設計情報及び前記基地局の周辺情報を含む前記基地局の管理情報に基づいて、前記基地局の外観の利用に関する利用情報を生成する利用情報生成部と、
生成された前記利用情報を、利用者の端末に送信する利用情報送信部と、
前記利用者の端末から前記基地局の外観の利用の注文情報を受信すると、前記基地局の外観の利用内容の問い合わせを前記利用者の端末に送信し、前記利用内容を前記利用者の端末から受信する利用内容受信部と、
受信された利用内容に基づいて、前記基地局の利用情報を更新する利用情報更新部と、
更新された利用情報に基づいて、前記基地局の設計情報を更新する設計情報更新部と、
を備え、
前記利用情報送信部は、
更新された前記設計情報に基づいて、前記利用情報をさらに更新して前記利用者の端末に送信する。
【００１０】
また、本発明の第２の観点に係る基地局利用方法は、
コンピュータが、無線通信における基地局の設計情報及び前記基地局の周辺情報を含む前記基地局の管理情報に基づいて、前記基地局の外観の利用に関する利用情報を生成する利用情報生成工程と、
コンピュータが、生成された前記利用情報を、利用者の端末に送信する利用情報送信工程と、
コンピュータが、前記利用者の端末から前記基地局の外観の利用の注文情報を受信すると、前記基地局の外観の利用内容の問い合わせを前記利用者の端末に送信し、前記利用内容を前記利用者の端末から受信する利用内容受信工程と、
コンピュータが、受信された利用内容に基づいて、前記基地局の利用情報を更新する利用情報更新工程と、
コンピュータが、更新された利用情報に基づいて、前記基地局の設計情報を更新する設計情報更新工程と、
コンピュータが、更新された前記設計情報に基づいて、前記利用情報をさらに更新して前記利用者の端末に送信する更新情報送信工程と、
を含む。
【００１１】
また、本発明の第３の観点に係る管理サーバは、
無線通信における基地局の設計情報及び前記基地局の周辺情報を含む前記基地局の管理情報を管理する管理サーバであって、
前記基地局の外観の利用を発注した利用者によって登録された利用内容に応じて更新され他のサーバから送信された前記基地局の外観の利用に関する利用情報を受信する受信部と、
受信された利用情報に基づいて、前記基地局の設計情報を更新する情報更新部と、
更新された前記設計情報を、前記利用情報の前記他のサーバに送信する送信部と、
を備える。
【００１２】
また、本発明の第４の観点に係る管理サーバは、
無線通信における基地局の設計情報及び前記基地局の周辺情報を含み、他のサーバによって管理される前記基地局の管理情報に基づいて、前記基地局の外観の利用に関する利用情報を生成する利用情報生成部と、
生成された前記利用情報を、利用者の端末に送信する利用情報送信部と、
前記利用者の端末から前記基地局の外観の利用の注文情報を受信すると、前記基地局の外観の利用内容の問い合わせを前記利用者の端末に送信し、前記利用内容を前記利用者の端末から受信する利用内容受信部と、
受信された利用内容に基づいて、前記基地局の利用情報を更新する利用情報更新部と、
更新された利用情報を、前記基地局の管理情報の前記他のサーバに送信する送信部と、
受信された利用情報に基づいて更新された前記基地局の設計情報を前記他のサーバから受信する受信部と、
を備え、
前記利用情報送信部は、
更新された前記設計情報に基づいて、前記利用情報をさらに更新して前記利用者の端末に送信する。
【００１３】
また、本発明の第５の観点に係るプログラムは、
無線通信における基地局の設計情報及び前記基地局の周辺情報を含む前記基地局の管理情報を管理するコンピュータに実行させるプログラムであって、
前記基地局の外観の利用を発注した利用者によって登録された利用内容に応じて更新され他のサーバから送信された前記基地局の外観の利用に関する利用情報を受信する受信手順と、
受信された利用情報に基づいて、前記基地局の設計情報を更新する情報更新手順と、
更新された前記設計情報を、前記利用情報の前記他のサーバに送信する送信手順と、
をコンピュータに実行させる。
【００１４】
また、本発明の第６の観点に係るプログラムは、
無線通信における基地局の設計情報及び前記基地局の周辺情報を含み、他のサーバによって管理される前記基地局の管理情報に基づいて、前記基地局の外観の利用に関する利用情報を生成する利用情報生成手順と、
生成された前記利用情報を、利用者の端末に送信する利用情報送信手順と、
前記利用者の端末から前記基地局の外観の利用の注文情報を受信すると、前記基地局の外観の利用内容の問い合わせを前記利用者の端末に送信し、前記利用内容を前記利用者の端末から受信する利用内容受信手順と、
受信された利用内容に基づいて、前記基地局の利用情報を更新する利用情報更新手順と、
更新された利用情報を、前記基地局の管理情報の前記他のサーバに送信する送信手順と、
受信された利用情報に基づいて更新された前記基地局の設計情報を前記他のサーバから受信する受信手順と、
更新された前記設計情報に基づいて、前記利用情報をさらに更新して前記利用者の端末に送信する更新情報送信手順と、
をコンピュータに実行させる。
【発明の効果】
【００１５】
本発明によれば、基地局の外観を、その設置場所の環境に応じたものとすることができるので、基地局の設置の自由度を高めることができる。
【図面の簡単な説明】
【００１６】
【図１】本発明の第１の実施形態に係る基地局利用システムの構成を示すブロック図である。
【図２】図１の基地局利用システムの動作を示すフローチャートである。
【図３】図１の基地局利用システムにおける利用情報の表示画面の一例を示す図である。
【図４】図１の基地局利用システムにおける詳細情報の表示画面の一例を示す図である。
【図５】本発明の第２の実施形態に係る基地局利用システムの動作を示すフローチャートである。
【図６】図５における基地局利用システムの利用情報の表示画面の一例を示す図である。
【図７】図５における基地局利用システムの詳細情報の表示画面の一例を示す図である。
【発明を実施するための形態】
【００１７】
（第１の実施形態）
まず、本発明の第１の実施形態について、図面を参照して詳細に説明する。本実施形態では、基地局の外観を広告媒体として利用する場合について説明する。
【００１８】
図１に示すように、本実施形態に係る基地局利用システム１は、移動体通信ネットワーク２を形成する複数の基地局３の外観を利用するためのシステムである。基地局利用システム１は、基地局管理サーバ１０と、利用管理サーバ２０と、を中心に構成されている。基地局管理サーバ１０と、利用管理サーバ２０とは、インターネット等のネットワーク１００を介して、通信可能に接続されている。
【００１９】
ネットワーク１００には、広告主等の利用者が操作する端末、すなわち利用者端末３０が接続されている。基地局管理サーバ１０、利用管理サーバ２０及び利用者端末３０は、ともに、ワークステーション、パーソナルコンピュータ等の情報処理装置であり、プログラムを実行することにより、それぞれの機能を実現する。
【００２０】
基地局管理サーバ１０は、移動体通信ネットワーク２を形成する複数の基地局３各々の設計情報及び周辺情報を管理する。基地局３の設計情報としては、例えば、基地局３の画像（建物画像）、基地局３の高さ（アンテナ高）、基地局３の設計図面などがある。また、基地局３の周辺情報としては、基地局３のアンテナの設置場所から撮影された周辺の３６０度画像、周辺の土地利用状態、周囲を歩く人の数、性別、年齢、交通機関及びその交通量などがある。
【００２１】
基地局３の設計情報及び周辺情報を総称して、基地局３の管理情報ともいう。基地局管理サーバ１０は、基地局３の管理情報を、利用管理サーバ２０に送信する。
【００２２】
さらに、基地局管理サーバ１０は、利用管理サーバ２０から送信される利用情報（例えば、掲示される広告の内容など）を受信して、受信した利用情報に基づいて、基地局３の設計情報を更新し、利用管理サーバ２０に送信する。
【００２３】
利用管理サーバ２０は、基地局管理サーバ１０から送信された基地局３の管理情報を受信する。利用管理サーバ２０は、受信した情報に基づいて、基地局３の利用情報を生成する。
【００２４】
利用情報には、例えば、利用される基地局３を識別するための基地局識別情報、価格情報及び利用者情報などが含まれる。基地局識別情報は、基地局３の管理情報を他の基地局３のものと識別するための一意の識別情報である。価格情報は、利用管理サーバ２０を管理する管理責任者、すなわち、基地局の外観を第三者に利用させる者が、任意に設定することができる価格の情報である。利用者情報は、基地局３の外観を利用する利用者を識別するための情報である。なお、利用情報には、基地局３の管理情報そのものも含まれる。
【００２５】
利用管理サーバ２０は、生成された利用情報を、利用者端末３０に提供する。利用管理サーバ２０は、利用者端末３０から送信された利用者が購入を希望する基地局３（物件）の注文情報を受信する。利用管理サーバ２０は、その注文情報に基づいて、受領案内、利用案内及び見積もりを利用者端末３０に送信し、利用内容の問い合わせを行う。ここで、利用案内とは、基地局３の詳細な利用内容を登録するための案内であり、ここでは、具体的な広告の内容を登録するための広告登録案内である。利用者端末３０から送信されたこの問い合わせに対する回答、すなわち、詳細な利用内容（広告の内容）を取得する。
【００２６】
利用管理サーバ２０は、取得された利用内容に基づいて、基地局３の利用情報を更新し、基地局管理サーバ１０に送信する。また、利用管理サーバ２０は、受信された利用情報に基づいて更新された基地局３の設計情報を受信する。利用管理サーバ２０は、更新された設計情報に基づいて、基地局３の利用情報をさらに更新して利用者端末３０に提供する。
【００２７】
利用者端末３０は、利用者によって操作される端末であり、パーソナルコンピュータ等の情報処理装置である。利用者端末３０は、利用管理サーバ２０にアクセスし、利用管理サーバ２０から提供される基地局３の利用情報を取得する。利用者端末３０は、基地局３の利用情報を画面に表示する。
【００２８】
基地局３の利用情報には、基地局３の物件情報、基地局３の基地局識別情報、基地局３の名称、住所、価格等の情報などが含まれる。利用者端末３０は、利用者の操作により、基地局３の注文情報を、ネットワーク１００を介して利用管理サーバ２０に送信する。
【００２９】
さらに、利用者端末３０は、受領案内及び利用案内を含む問い合わせを受信し、その問い合わせに対する利用者の回答（詳細な利用内容）を入力する。利用者端末３０は、入力された利用内容を、利用管理サーバ２０に送信する。
【００３０】
さらに、利用者端末３０は、利用管理サーバ２０から送信された更新された利用情報を受信して、その利用情報を表示する。利用者端末３０は、この利用情報に対する利用者の承認を入力し、承認した旨の通知を、利用管理サーバ２０に送信する。
【００３１】
次に、本実施形態に係る基地局利用システム１の動作について説明する。
【００３２】
図２に示すように、まず、利用管理サーバ２０は、基地局管理サーバ１０にアクセスする（ステップＡ１）。これに応答して、基地局管理サーバ１０は、基地局３の管理情報を利用管理サーバ２０に送信する（ステップＡ２）。利用管理サーバ２０は、基地局３の管理情報に基づいて、基地局３の利用情報を生成する（ステップＡ３）。
【００３３】
利用者端末３０は、利用者の操作により、利用管理サーバ２０によって提供されるホームページにアクセスする（ステップＡ４）。これに応答して、利用管理サーバ２０は、基地局３の利用情報を利用者端末３０に送信する（ステップＡ５）。利用者端末３０は、基地局３の利用情報を画面に表示する（ステップＡ６）。
【００３４】
図３には、表示された利用情報の一例が示されている。図３では、各基地局３の名称（物件Ａ、Ｂ、Ｃ）と、物件番号（００００１、００００２、００００３）、住所、物件高（すなわちアンテナ高さ）などが表示されている。
【００３５】
利用者は、表示された利用情報を参照して、購入を希望する基地局３を、選択する（ステップＡ７）。例えば、図３に示すように、利用者が物件Ａを購入したい場合には、その「詳細」ボタンをマウスでクリックする。利用者が「詳細」ボタンをマウスでクリックすると、例えば、図４に示すように、利用者端末３０に、注文した物件の詳細な情報が表示される。詳細情報には、例えば、基地局３の写真（建物写真）や、物件番号、物件名、住所、建物高、周辺環境の他、３６０度写真（３０度刻み）が表示される。利用者が、「注文」ボタンをクリックすることにより、利用者端末３０から、利用管理サーバ２０へ注文情報が送信される（ステップＡ８）。
【００３６】
利用管理サーバ２０は、利用者端末３０から注文情報を受信すると、受領内容と具体的な利用内容を取得するための利用案内を利用者端末３０に送信する（ステップＡ９）。利用者が利用者端末３０に具体的な利用内容を入力すると、利用者端末３０は、利用管理サーバ２０に入力された利用内容を送信する（ステップＡ１０）。
【００３７】
利用管理サーバ２０は、利用者端末３０からの利用内容を受信すると、受信した利用内容に基づいて基地局３の利用情報を更新する（ステップＡ１１）。利用管理サーバ２０は、更新された利用情報を、基地局管理サーバ１０に送信する（ステップＡ１２）。
【００３８】
基地局管理サーバ１０は、利用管理サーバ２０から更新された利用情報を受信すると、基地局の設計情報を更新する（ステップＡ１３）。すなわち、基地局管理サーバ１０は、更新された利用情報に基づいて、設計情報を更新して、利用内容を反映した設計情報を生成する。基地局管理サーバ１０は、更新された設計情報を、利用管理サーバ２０に送信する（ステップＡ１４）。
【００３９】
利用管理サーバ２０は、利用内容が反映された管理情報を受信して、受信した管理情報に基づいて利用情報を更新し、同時に見積もりを作成し、利用情報に含める（ステップＡ１５）。さらに、利用管理サーバ２０は、更新された利用情報を、利用者端末３０に送信する（ステップＡ１６）。
【００４０】
利用者は、利用者端末３０より利用管理サーバ２０にアクセスし、利用情報に含まれる広告内容を反映した工事図面等の設計情報と、見積もりを確認して承認し（ステップＡ１７）、決済を行う（ステップＡ１８）。
【００４１】
利用管理サーバ２０は、この決済を受けて、着工指示を、基地局管理サーバ１０に送信する（ステップＡ１９）。基地局管理サーバ１０は、利用管理サーバ２０からの着工指示を受けて、着工許可を出す（ステップＡ２０）。
【００４２】
以上詳細に説明したように、本実施形態によれば、アンテナが、人目に付きやすい場所に設置される基地局３の外観を、例えば広告などに利用することができるので、基地局３をむしろ人目に着くやすい場所に積極的に設置できるようになるため、基地局３の設置の自由度を高めることができる。
【００４３】
なお、基地局３のアンテナの形状自体を、利用者の立体商標にすることも可能である。
【００４４】
なお、基地局３の外観の利用は、広告などに限られない。自らの芸術作品を掲示したい芸術家など、広告以外の情報を発信しようとする者や、景観を損ねないように基地局３の外観を、周囲の環境にマッチさせたい観光業の団体などに、基地局３の外観を利用させることも可能である。すなわち、基地局３の外観の利用は、基地局３の管理情報や利用情報に沿って行われるので、基地局３の設置を妨げるような（例えば景観を損ねるような）利用方法は排除されている。
【００４５】
また、基地局３の外観を第三者に利用させるようにすれば、基地局３の管理者は、その利用料を収入として見込める。
【００４６】
（第２の実施形態）
次に、本発明の第２の実施形態について、図面を参照して詳細に説明する。
【００４７】
本実施形態では、基地局３の外観利用を、入札制度を用いて販売する。利用管理サーバ２０は、利用者端末３０を操作して、基地局３の外観の利用料である希望価格を設定する。設定された希望価格は、基地局３の利用情報に含まれ、利用者端末３０に送信され、表示される。利用管理サーバ２０は、基地局３の外観の利用に関する入札を受け付ける。利用管理サーバ２０は、複数の入札者の中から、最も利用料が高い入札者を落札者として決定する。利用管理サーバ２０は、落札決定後に、落札者案内と登録案内を利用者端末３０に送信し、落札者の問い合わせを行う。
【００４８】
図５に示すように、利用管理サーバ２０からの基地局管理サーバ１０へのアクセス（ステップＢ１）、基地局管理サーバ１０から利用管理サーバ２０への基地局３の管理情報の送信（ステップＢ２）、利用管理サーバ２０での利用情報の生成（ステップＢ３）までの動作は、上記第１の実施形態と同様である。
【００４９】
ステップＢ３実行後、利用管理サーバ２０は、基地局管理サーバ１０から送信された基地局の利用情報（例えば、基地局３のアンテナの設置場所から撮影された３６０度の画像、周辺の土地利用、建物画像、建物高等）に基づいて、希望価格を設定する（ステップＢ４）。例えば、人の往来が激しい場所や交通量の多い場所は、広告価値が高くなるので、希望価格が上昇する。
【００５０】
続いて、利用管理サーバ２０は、利用者端末３０がアクセスすると（ステップＢ５）、希望価格を含む基地局３の利用情報を、利用者端末３０に送信する（ステップＢ６）。
【００５１】
利用者端末３０では、利用情報が画面に表示される（ステップＢ７）。利用者は、その利用情報を参照し、購入を希望する基地局３を選択する（ステップＢ８）。
【００５２】
例えば、図６に示すように、利用者が物件Ａを購入したい場合には、その「詳細」ボタンをマウスでクリックする。利用者が「詳細」ボタンをマウスでクリックすると、利用者端末３０には、例えば、図７に示すように、注文した物件の詳細な情報が表示される。利用者が入札価格を入力して、「入札」ボタンをクリックすることにより、利用者端末３０より利用管理サーバ２０に入札情報が送信される（ステップＢ９）。
【００５３】
利用管理サーバ２０は、利用者端末３０からの入札情報を受信すると、入札待受時間の計測を開始する（ステップＢ１０）。入札待受時間が経過（タイムアウト）すると（ステップＢ１１）、利用管理サーバ２０は、最も入札価格の高い利用者を、落札者として決定し、落札者の利用者端末３０に利用案内を送信する（ステップＢ１２）。
【００５４】
利用者端末３０で利用案内が受信されると、利用者は、入札価格で提示した価格で決済を行う（ステップＢ１３）。
【００５５】
続く、ステップＢ１４乃至ステップＢ１８までの動作は、第１の実施形態におけるステップＡ１０乃至ステップＡ１４の動作と同じである。
【００５６】
続いて、利用管理サーバ２０は、基地局管理サーバ１０からの更新された管理情報を受信し、受信した情報に基づいて、利用情報を更新する（ステップＢ１９）。利用管理サーバ２０は、更新した利用情報を、利用者端末３０に送信する（ステップＢ２０）。
【００５７】
利用者端末３０により、利用内容が反映された利用情報が受信されると、利用者は、その利用情報を承認する（ステップＢ２１）。
【００５８】
これ以降の動作（ステップＢ２２、Ｂ２３）は、第１の実施形態の動作（ステップＡ１９、Ａ２０）と同様である。
【００５９】
以上詳細に説明したように、本実施形態によれば、基地局３の外観の利用権は、最も高額な入札価格を提示したものに落札される。これにより、基地局３の管理者は、より多額な利用料の収入を見込めるようになる。
【００６０】
なお、上記各実施形態に係る基地局利用システムを用いれば、基地局３の設置を予定する工事の段階で、基地局３の外観の利用方法を決定することができる。これにより、周囲の環境にマッチした基地局３を設計段階から製造することができるようになる。
【００６１】
また、基地局３の設置に関わる工事依頼主、工事担当者等以外の第三者に、基地局の外観を利用させることができるようになり、その利用料を負担させることができるので、工事依頼主等の費用負担を軽減し、無用な争いを回避することができる。
【００６２】
なお、上記各実施形態では、基地局３の外観を主として、広告として利用する場合について説明したが、本発明に係る基地局３の利用方法は、広告には限られないのは前述したとおりである。
【００６３】
また、上記各実施形態では、基地局管理サーバ１０と、利用管理サーバ２０とを、別々の管理サーバとしたが、これらの管理サーバを、同じコンピュータで構成するようにしてもよい。
【産業上の利用可能性】
【００６４】
本発明は、移動体通信ネットワーク等の無線通信全般の基地局の設置に適用されるのに好適である。
【符号の説明】
【００６５】
１  基地局利用システム
２  移動体通信ネットワーク
３  基地局
１０  基地局管理サーバ
２０  利用管理サーバ
３０  利用者端末
１００  ネットワーク
【図１】
0005434302.tif 000002
【図２】
0005434302.tif 000003
【図３】
0005434302.tif 000004
【図４】
0005434302.tif 000005
【図５】
0005434302.tif 000006
【図６】
0005434302.tif 000007
【図７】
0005434302.tif 000008